(57)【特許請求の範囲】
【請求項１】
情報処理機器を収容したラックが整列する情報処理機器室の空調システムであって、
前記情報処理機器室内において前記ラックから離間して設置され、前記ラックの列の長手方向の一方から該ラックへ向けて開口した、前記情報処理機器を冷却するための冷気を該情報処理機器室内に吹出す吹出口と、
前記情報処理機器室内に設置され、前記吹出口と前記ラックとの間で前記吹出口から吹出る冷気を受けて、該吹出口から前記ラックへ流れる冷気の流速を調整する通気性の整流部材であり、整列する各ラックに吸込面を形成する各冷却ファンによって冷気が吸い込まれるラック列の吸込面がある領域を前記吹出口側から覆うように設置され、少なくとも前記ラックの列の長手方向の他方側には設置されない整流部材と、を備える、
情報処理機器室の空調システム。
【請求項２】
前記整流部材は、前記ラックの吸気面が向かい合う一対のラック列の間に形成される通路に流入する、前記吹出口から該通路へ向けて吹出る冷気を受ける、
請求項１に記載の情報処理機器室の空調システム。
【請求項３】
前記吹出口は、前記情報処理機器室内において前記ラックの側方から該ラックへ向けて開口しており、
前記情報処理機器室に整列するラック列は、ラックが間隔を空けて整列しており、
前記整流部材のうち少なくとも一部は、間隔を空けて配置されたラック間の前記吹出口側および該ラック間の上側を覆う、
請求項１または２に記載の情報処理機器室の空調システム。
【請求項４】
前記整流部材は、通気抵抗が、前記吹出口の動圧に対する静圧の割合で５〜３０である、
請求項１から３の何れか一項に記載の情報処理機器室の空調システム。
【請求項５】
前記吹出口から吹出た前記ラックの吸気面に吸い込まれる冷気が流れる経路と、該ラッ
クから排出された排気が流れる経路とを仕切る仕切部材を更に備える、
請求項１から４の何れか一項に記載の情報処理機器室の空調システム。
【請求項６】
前記冷気が流れる経路は、前記情報処理機器室内に形成され、
前記排気が流れる経路は、排気面が向かい合う一対のラック列の間に形成される通路と、前記情報処理機器室の天井裏に形成される空間内とに形成される、
請求項５に記載の情報処理機器室の空調システム。
【発明の詳細な説明】
【技術分野】
【０００１】
本発明は、情報処理機器室の空調システムに関する。
【背景技術】
【０００２】
情報処理技術の発展に伴い、情報処理機器の発熱量は増大の一途を辿っている。これに伴い、情報処理機器を冷却する情報処理機器室の空調システムの処理量も増大しており、情報処理機器を効率的に冷却できる空調技術の開発が行われている。
【０００３】
例えば、特許文献１，２には、遮蔽板や整流材で空気の流れを調整する情報処理機器室の空調システムが開示されている。また、特許文献３，４には、サーバ室のラック間にある通路を冷気が流れるゾーンと暖気が流れるゾーンとに分けた情報処理機器室の空調システムが開示されている。また、特許文献５には、床に設けた各吹出口にフィルタを設けることで吹出風量のばらつきを抑える情報処理機器室の空調システムが開示されている。
【先行技術文献】
【特許文献】
【０００４】
【特許文献１】特開２００９−１０９０４５号公報
【特許文献２】特開２０１０−５４０９５号公報
【特許文献３】特開２０１０−４３８１７号公報
【特許文献４】特開２００８−１８５２７１号公報
【特許文献５】特許第３３６５５２６号公報
【発明の概要】
【発明が解決しようとする課題】
【０００５】
データセンタ等の大規模な情報処理設備においては、情報処理機器を収容したラックが室内に多数並べられている。各情報処理機器へ冷気を過不足なく行き渡らせるためには、ラック列に沿って流れる冷気の流速が適切に調整される必要がある。流速が遅い場合には冷却に必要な量の冷気が確保できない虞があり、流速が速い場合には静圧の低い部位が部分的に生じたり渦や乱流が生じたりし、場合によっては暖排気が部分的に冷気供給側に流出する虞があるためである。また、ラック列に沿って流れる冷気の流速は、冷気が吹出る吹出口とラック列との位置関係によっても左右されるため、建物の構造等の様々な制約によって十分な空調風量を確保できない場合がある。
【０００６】
そこで、本願は、室内に設置した冷気の吹出口の位置や吹出風量の如何に関わらず、また冷気の風速が速くても情報処理機器を収容した各ラックへ冷気を過不足なく行き渡らせることができる情報処理機器室の空調システムを提供することを課題とする。
【課題を解決するための手段】
【０００７】
上記課題を解決するため、本発明は、情報処理機器を収容したラックが整列する情報処理機器室内に設置される吹出口から吹出る冷気を受けて、吹出口からラックへ流れる冷気の流速を調整する通気性の整流部材を備える。
【０００８】
詳細には、情報処理機器を収容したラックが整列する情報処理機器室の空調システムであって、前記情報処理機器室内において前記ラックの側方または上方から該ラックへ向けて開口した、前記情報処理機器を冷却するための冷気を該情報処理機器室内に吹出す吹出口と、前記吹出口から吹出る冷気を受けて、該吹出口から前記ラックへ流れる冷気の流速を調整する通気性の整流部材と、を備える。
【０００９】
上記整流部材は、冷気が吹出す吹出口からラックへの冷気の流通経路の間に通気抵抗を与えて冷気の流速を調整するものであり、各ラックの吸気面に冷気が概ね均等に吸い込まれるように、ラック列の吸気面側を流れる冷気の流れを整える。この整流部材は、例えば、前記ラックの吸気面が向かい合う一対のラック列の間に形成される通路の吹出口側に設置されることにより、吹出口からラックへの冷気の流通経路の間に通気抵抗を与える。吹出口からラックの吸気面への流通経路の間に、このような整流部材を設けることにより、吹出口から整流部材までの経路が仮想的なプレナムチャンバーとして機能し、整流部材の下流側の冷気の流れが整う。これにより、吹出口の位置や吹出風量の如何に関わらず、流速の影響を緩和し、各ラックへ冷気が過不足なく行き渡ることになる。
【００１０】
また、前記整流部材は、前記ラックの吸気面が向かい合う一対のラック列の間に形成される通路に流入する、前記吹出口から該通路へ向けて吹出る冷気を受けるものであってもよい。ラックの吸気面が向かい合う一対のラック列の間に形成される通路に流入する冷気は、通路の上流側のラックの吸気面で静圧の低い領域が生じやすい。しかしながら、吹出口から通路へ向けて吹出る冷気を整流部材が受けていれば、下流側への冷気の過剰な供給が抑制され、このような通路の上流側のラックの吸気面における静圧の不足が防止される。
【００１１】
また、前記情報処理機器室に整列するラック列は、ラックが間隔を空けて整列している場合、前記吹出口は、前記情報処理機器室内において前記ラックの側方から該ラックへ向けて開口しており、前記整流部材のうち少なくとも一部は、間隔を空けて配置されたラック間を覆ってもあってもよい。間隔を空けて配置されたラック間を覆うように整流部材を設ければ、間隔を詰めてラックを配置した場合に比べて、整流部材によって流速が調整される冷気の風道の面積が大きい。これにより、整流部材に到達する直前の流速のバラつきを抑えることができる。よって、気流の高速化を防止して、各ラックに必要な冷気を低速で供給することができる。冷気が低速になると、渦流や低圧域の発生が防止されるので、ホットアイルの高温空気がラック内を逆流して情報処理機器が冷却されなくなる虞がない。
【００１２】
また、前記整流部材は、通気抵抗が、前記吹出口の動圧に対する静圧の割合で５〜３０であれば、吹出口から吹出る冷気の速度が実用的範囲内に調整され、各ラックへ冷気が過不足なく行き渡る。
【００１３】
また、前記情報処理機器室の空調システムは、前記吹出口から吹出た前記ラックの吸気面に吸い込まれる冷気が流れる経路と、該ラックから排出された排気が流れる経路とを仕切る仕切部材を更に備えるものであってもよい。吹出口から吹出たラックの吸気面に吸い込まれる冷気が流れる経路が、ラックから排出された排気が流れる経路と仕切られていれば、排気が流れる経路に吹出口から吹出る冷気が流れ込まないので、ラックに吸込まれずにそのままホットアイルに流出するバイパス流れがなくなって送風動力の無駄がなくなり、整流部材によって整流された冷気がラック内へ吸い込まれやすくなる。
【００１４】
また、前記冷気が流れる経路は、前記情報処理機器室内に形成され、前記排気が流れる経路は、排気面が向かい合う一対のラック列の間に形成される通路と、前記情報処理機器室の天井裏に形成される空間内とに形成されるものであってもよい。このような情報処理機器室の空調システムであれば、情報処理機器室内の空間の多くを、吹出口から吹出た冷気の流速の調整経路として割り当てることができるため、吹出口から吹出る冷気の風量が増大しても、ラック列の吸気面側を流れる冷気の流れを十分に整えることができる。
【発明の効果】
【００１５】
室内に設置した冷気の吹出口の位置や吹出風量の如何に関わらず、また冷気の風速が速くても情報処理機器を収容した各ラックへ冷気を過不足なく行き渡らせることができる。
【図面の簡単な説明】
【００１６】
【図１】第一実施形態に係るデータセンタの構成図である。
【図２】還気が流れる経路を示した図である。
【図３】整流材の据え付け状態の拡大図である。
【図４】冷気が流れる経路を示した図である。
【図５】冷気の速度と静圧との関係をプロットしたグラフである。
【図６】動圧に対する静圧の割合と最小速度比との関係をプロットしたグラフである。
【図７】第一実施形態の変形例に係るデータセンタの構成図である。
【図８】冷気が流れる経路を示した図である。
【図９】第二実施形態に係るデータセンタの構成図である。
【図１０】還気が流れる経路を示した図である。
【図１１】冷気が流れる経路を示した図である。
【図１２】第三実施形態に係るデータセンタの構成図である。
【図１３】還気が流れる経路を示した図である。
【図１４】冷気が流れる経路を示した図である。
【図１５】第三実施形態の変形例に係るデータセンタの構成図である。
【図１６】冷気が流れる経路を示した図である。
【図１７】第一実施形態の変形例に係るデータセンタの構成図である。
【図１８】ラックを間引いた部分の拡大図である。
【図１９】各ラックを互いに間隔を空けて整列させた場合の例を示す図である。
【図２０】ラックを間引いた部分の変形例の拡大図である。
【発明を実施するための形態】
【００１７】
図１は、第一実施形態に係る情報処理機器室の空調システム１００を配置したデータセンタ１０１の構成図である。データセンタ１０１には、図１に示すように、各種の演算処理やデータベースの管理を行なうサーバや通信機等の情報処理機器が収容されたラック１０２がサーバールーム１０３に多数並んでいる。また、サーバールーム１０３には、各ラック１０２へ供給する冷気を生成する空調ユニット１０４が多数設けられている。各空調ユニット１０４は、サーバールーム１０３の片隅に配置されており、図１では左側に配置されている。なお、各空調ユニット１０４の位置は、サーバールーム１０３の片隅に限定されるものではないが、ラック１０２の吸気面へ流れる冷気の流速が各ラック１０２で互いにばらつくような位置であれば、本願発明の機能がより効果的に発揮される。
【００１８】
各ラック１０２には、情報処理機器を冷却する冷却ファンが設けられており、ラックの正面あるいは背面の何れかが吸気面となり、他方が排気面となるように構成されている。各ラック１０２の中の情報処理機器の冷却ファンは、ラック内に収容されている情報処理機器の負荷状態や吸込み温度に応じて時々刻々と変化するように回転数が制御されるものであってもよいし、一定の回転数で動くものであってもよい。なお、情報処理機器が据え付けられていない等の理由により、ラック１０２内や隣接するラック１０２間に隙間があるような場合は、暖気の回り込みを防ぐようなパネル等で隙間を防ぐことが好ましい。
【００１９】
空調ユニット１０４は、クーリングコイルと電動ファンとを内蔵し、サーバールーム１０３の空気を冷やす。ここで、本実施形態に係るデータセンタ１０１では、各ラック１０２がコンクリートスラブ１０５Ｂによって形成される床面１０６に据え付けられている。よって、床面１０６の下にはいわゆる床下空間が無い。一方、コンクリートスラブ１０５Ｕとサーバールーム１０３との間には、天井ボード１０７が設けられており、二重天井構
造になっている。そこで、空調ユニット１０４は、図２に示すように、上面に設けられた開口より、天井ボード１０７とコンクリートスラブ１０５Ｕとの間に形成される天井裏の空間１０８Ｕから各ラック１０２の排気を吸引して冷却する。そして、各ラック１０２が整列したラック列１０９の端部側壁から見て正面（例えば、サーバールーム１０３の内壁近傍）に設けられた吹出口より、冷却した空気をサーバールーム１０３内へ送る。なお、空調ユニット１０４は、コイルとファンがそれぞれ別のケーシングに納まり、両者がダクトで接続されたものであってもよい。また、空調ユニット１０４は、天井吊り下げ式あるいは天井埋め込み式であってもよいし、別室に据え付けて吹出口だけダクトでサーバールーム１０３まで延長してもよい。この場合、空調ユニット１０４の吹出口は、天井ボード１０７に設けられ、天井から吹出すようになっていてもよい。
【００２０】
データセンタ１０１は、各ラック１０２へ冷気が効率的に供給されるよう、一つのラック列１０９を構成する各ラック１０２の吸気面と排気面の向きが揃えられている。そして、対峙する２つのラック列１０９が、共に吸気面あるいは排気面で向き合うように配置される。各ラック１０２がこのように設置されていることにより、各ラック列１０９の間には、冷気が流れる通路と暖気が流れる通路とが交互に形成されることになる。以下、吸気面が向かい合う一対のラック列１０９に囲まれた、冷気が流れる通路をコールドアイルＣといい、排気面が向かい合う一対のラック列１０９によって囲まれた、暖気が流れる通路をホットアイルＨという。
【００２１】
一つのホットアイルＨを挟む２つのラック列１０９の両端間や、ラック列１０９と天井ボード１０７との間には、ホットアイルＨとコールドアイルＣとを隔離する仕切板１１０が設けられている。この仕切板１１０は、空気の流れを遮蔽する。なお、各ラック１０２の高さが天井ボード１０７と同じ高さである場合、ラック列１０９と天井ボード１０７との間に配置される仕切板１１０は不要である。天井ボード１０７のうちホットアイルＨの上側の部分は開口しているため、仕切板１１０によって囲まれたホットアイルＨ内の暖気は、コールドアイルＣ側へ回り込むことなく天井裏の空間１０８Ｕへ流れることになる。
【００２２】
また、一つのコールドアイルＣを挟む２つのラック列１０９の両端のうち、空調ユニット１０４が配置されている側の端部には、空調ユニット１０４の吹出口から吹出る冷気を受けて、吹出口から各ラック１０２へ流れる冷気の流速を調整する整流材１１１Ｓが設けられており、２つのラック列１０９の上端部には整流材１１１Ｕが設けられている。整流材１１１Ｕ，１１１Ｓの据え付け状態の拡大図を図３に示す。ここでは、２つのラック列１０９の間のコールドアイルＣは、床面は床材で閉塞され、上側と左端側は対向するラック列１０９の揃えられた側端面と天面を跨ぐ形で整流体としてのメッシュが配設されている。空調ユニット１０４の吹出口から遠く離れているために冷気の流速が遅く、静圧の不足等が問題にならないコールドアイルＣの右端側は、整流材１１１Ｓが省かれている。このため、空調ユニット１０４の吹出口から出た冷気は、その多くが吹出口側の整流材１１１Ｓを経てラック列１０９間のコールドアイルＣ内へ流入するが、整流材１１１Ｓを通過しなかった冷気がラック列１０９や整流材１１１Ｕの上側と天井ボード１０７の下側との間にある空間を通り抜けるため、整流材１１１Ｓが設けられている側と反対側のコールドアイルＣの他端側（図１でいう右側）では２方向の冷気の混合が生じる。整流材１１１Ｕ，１１１Ｓは、空調ユニット１０４から吹出る空気の流速が速い事により、ラック１０２の吸気面側で静圧が低下したり乱流が形成されたりしてラック１０２内への冷気の吸込み不良が生じるのを防ぐ目的で設置されるものであり、図４に示すように、コールドアイルＣへ略均一の流量の冷気が流れるようにするものである。整流材１１１Ｕ，１１１Ｓは、空調ユニット１０４からコールドアイルＣへ流れる冷気の通路に通気抵抗を生じさせ得るものであればよく、例えば、ルームエアコンなどで用いられているフィレドンフィルタやサランネットといった網状の整流材や、各種フィルタやパンチング板、金網、布、或いはこれらの積層体、並びに空調の吹出し口等に用いられるレジスタ等の整流板類を適用できる。ルームエアコンなどで用いられているフィレドンフィルタやサランネットといった網状の整流材であれば、軟質なので施工性にも優れる。整流部材として如何なる材質のものを適用するかは、要求される強度や空調ユニットの風量、冷気の流速などに応じて適宜決定する。
【００２３】
なお、整流材１１１Ｕ，１１１Ｓは、通気抵抗が、動圧（空調ユニットの吹出口）に対する静圧の割合で５〜３０程度になるようなものを選定することが好ましい。その理由は次の通りである。
【００２４】
整流材を通過する冷気の速度分布の形状は、実用的範囲の場合、静圧と動圧の比が一定であれば流速に関わらず概ね相似であり、換言すると、整流材を通過する冷気の速度分布の形状は、静圧と動圧との比により定まる。ここで、空調ユニット１０４の吹出口から整流材１１１Ｕ，１１１Ｓまでの空間を管路の連続分岐管と考え（以下、この空間を仮想プレナムチャンバーという）、この空間内の摩擦等の損失を無視すると次式が成り立つ。
【数１】
0005743536.tif 000002
【００２５】
上記数式（１），（２）から逐次計算することにより、任意の位置における吹出速度と静圧の分布を求めることができる。これに整流材の抵抗係数を加味し、寸法を任意に設定した仮想のプレナムチャンバーについて冷気の速度と静圧との関係を、動圧に対する静圧の割合（Ｐｒ）毎に算出し、計算結果をプロットしたグラフを図５に示す。ここで、図５のグラフにおいて、縦軸として示す速度比とは冷気の平均速度に対する特定位置における速度の割合（速度比＝位置の速度／平均速度）であり、横軸として示す距離比とは全長に対する特定位置の割合（距離比＝位置／全長）である。従って、距離比０〜１の範囲の何れにおいても速度比が１に近ければ速度のばらつきが小さいということになる。図５に示されるように、動圧に対する静圧の割合が小さい場合（すなわち、Ｐｒの値が小さい場合）は冷気の吹出し速度のばらつきが大きく、動圧に対する静圧の割合が大きい場合（すなわち、Ｐｒの値が大きい場合）は冷気の吹出し速度のばらつきが小さくなることが判る。このことから、動圧に対する静圧の割合を高めれば高めるほど、整流材を通過する冷気の速度分布が均一に近づき、コールドアイルＣの冷気の流れが整うことが判る。
【００２６】
ここで、本実施形態に係る空調システム１００において実用上妥当な、整流材に必要な通気抵抗を決定するため、横軸を動圧に対する静圧の割合（Ｐｒ）とし、縦軸に最小速度比をプロットしたグラフを図６に示す。ここで、最小速度比とは、距離比０〜１の範囲において最も小さい速度比の値である。図６に示されるように、最小速度比は、動圧に対する静圧の割合（Ｐｒ）が１０未満においては割合が増えるにつれて急上昇し、１０から３０の間で徐々に緩やかになり、３０よりも大きくなると緩やかに上昇していくことが判る。この結果から、動圧に対する静圧の割合（Ｐｒ）が１０未満においては通気抵抗が小さすぎ、３０より大きい場合には通気抵抗が大きすぎることが判る。よって、整流材は、通気抵抗が動圧（空調ユニットの吹出口）の５〜３０倍程度、より好ましくは１０〜３０倍程度になるようなものを選定することが好ましいことが判る。なお、通気抵抗による差圧で整流材等に異常が生じないよう、空調ユニットのファンの回転数等を差圧に応じて制御してもよい。もっとも、最小速度比は、０．９以上あれば十分であるため、動圧に対する静圧の割合（Ｐｒ）が５以上もあれば実用上差し支えない。
【００２７】
本実施形態に係る空調システム１００であれば、空調ユニット１０４から吹出た冷気の流れが整流材１１１Ｕ，１１１Ｓによる通気抵抗によって調整され、各ラック１０２内に冷気が略均一に流れる。このため、空調ユニット１０４の吹出し口を任意の位置に配置できる。また、吹出し口の面積を拡大させることも可能であり、給気速度を均一且つ低速に維持したまま、冷気の吹出風量を増加させることができる。
【００２８】
図７は、第一実施形態に係る空調システム１００の変形例である。上述した実施形態では、コールドアイルＣの上側が整流材１１１Ｕによって全面的に覆われていた。しかし、整流材１１１Ｕ，１１１Ｓは、空調ユニット１０４から吹出る空気の流速を抑えて各ラック１０２の吸気面側で静圧が低下したり乱流が形成されたりしてラック１０２内への冷気の吸込み不良が生じるのを防ぐ目的で設置されるものであるため、図７に示すように、コールドアイルＣの上側のうち特に空調ユニット１０４に近い部分のみを整流材１１１Ｕで覆うようにしてもよい。整流材１１１ＵがコールドアイルＣの上側のうち特に空調ユニット１０４に近い部分のみを覆う構成であっても、図８に示すように、空調ユニット１０４の吹出口から各ラック１０２の吸気面へ流れる冷気の流速が抑えられて、ラック１０２の吸気面側における静圧の低下や乱流の発生が防止され、ラック１０２内への冷気の吸込み不良が生じるのを防ぐことができる。
【００２９】
図９は、第二実施形態に係る空調システム２００を配置したデータセンタ２０１の構成図である。データセンタ２０１には、第一実施形態に係るデータセンタ１０１と同様、ラック２０２がサーバールーム２０３に多数並んでおり、サーバールーム２０３には空調ユニット２０４が設けられている。また、省略される整流材１１１Ｓは、空調ユニット２０４の吹出口と反対側のラック列２０９間の部分であり、コールドアイルＣの通路を冷気が反対側の壁面に向けて吹き抜ける（すなわち、図９における左方向）態様である。
【００３０】
空調ユニット２０４は、第一実施形態に係る空調ユニット１０４とほぼ同様であるが、吸込み側が一部異なる。本実施形態に係るデータセンタ２０１は、天井ボード２０７によって二重天井構造になっている他、ラック１０２が据え付けられている床面２０６とコンクリートスラブ２０５Ｂとの間に空間２０８Ｂが形成され、二重床構造になっている。そこで、本実施形態では、図１０に示すように、空調ユニット２０４の上面に設けられた開口より天井裏の空間２０８Ｕから各ラック２０２の排気を吸引して冷却し、第一実施形態に係る空調システム１００に加えて、床面２０６を構成する網目状のグレーチングより床下の空間２０８ＢからコールドアイルＣへ冷気が流れる構成を採っている。床面２０６のうち、コールドアイルＣの床面部分には、整流材２１１Ｂが取り付けられている。従って、床下の空間２０８ＢからコールドアイルＣへ流入する冷気についても整流される。
【００３１】
本実施形態に係る空調システム２００は、天井裏の空間２０８Ｕのみならず床下の空間２０８Ｂも利用している点以外、第一実施形態に係る空調システム１００と同様である。この空調システム２００であれば、空調ユニット２０４から吹出た冷気の流れが整流材２１１Ｕ，２１１Ｓ，２１１Ｂで調整され、図１１に示すように各ラック２０２に冷気が略均一に流れる。このため、空調ユニット２０４の吹出し口を任意の位置に配置できる。よって、吹出し口の面積を拡大させまたは多方向に複数個設けることも可能であり、または空調ユニット２０４に限らず空調システム２００全体の給気能力を増強し、給気速度を均一且つ低速に維持したまま、冷気の吹出風量を増加させることができる。
【００３２】
なお、上述した第二実施形態では、コールドアイルＣの上側が整流材２１１Ｕによって全面的に覆われていたが、第一実施形態の変形例として図７でも示したように、コールドアイルＣの上側のうち特に空調ユニット２０４に近い部分のみを整流材２１１Ｕで覆うようにしてもよい。
【００３３】
図１２は、第三実施形態に係る空調システム３００を配置したデータセンタ３０１の構成図である。データセンタ３０１には、第一実施形態に係るデータセンタ１０１や第二実施形態に係るデータセンタ２０１と同様、ラック３０２がサーバールーム３０３に多数並んでおり、サーバールーム３０３には空調ユニット３０４が設けられている。
【００３４】
空調ユニット３０４は、第一実施形態に係る空調ユニット１０４とほぼ同様であるが、吸込み側が一部異なる。本実施形態に係るデータセンタ３０１は、ラック３０２が据え付けられている床面３０６とコンクリートスラブ３０５Ｂとの間に空間３０８Ｂが形成されて二重床構造になっているが、天井ボードが設けられていないため二重天井構造にはなっていない。そこで、本実施形態では、図１３に示すように空調ユニット３０４が下面に設けられた開口より床下の空間３０８から各ラック３０２の排気を吸引して冷却する構成を採っている。
【００３５】
ホットアイルＨの床面３０６には、人等の通行を可能にしつつホットアイルＨの空気が床下の空間３０８Ｂへ流れるように網目状のグレーチング３１２が各ラック３０２の排気面が対向する空間の床に設置されている。また、一つのホットアイルＨを挟む２つのラック列３０９の両端間や上端間には、ホットアイルＨとコールドアイルＣとを隔離する仕切板３１０が設けられている。この仕切板３１０は、ホットアイルＨの暖気がコールドアイルＣへ流れないよう、空気の流れを遮蔽する。ホットアイルＨの床はグレーチング３１２によって床下の空間３０８Ｂと連通しているため、仕切板３１０によって囲まれたホットアイルＨ内の暖気は、コールドアイルＣ側へ回り込むことなく床下の空間３０８Ｂへ流れることになる。
【００３６】
本実施形態に係る空調システム３００は、天井裏の空間の代わりに床下の空間３０８Ｂを利用している点以外、第一実施形態に係る空調システム１００と同様である。この空調システム３００であれば、空調ユニット３０４から吹出た冷気の流れが整流材３１１Ｕ，３１１Ｓで調整され、図１４に示すように各ラック３０２に冷気が略均一に流れる。このため、空調ユニット３０４の吹出し口を任意の位置に配置できる。よって、吹出し口の面積を拡大させることも可能であり、給気速度を均一且つ低速に維持したまま、冷気の吹出風量を増加させることができる。なお、空調ユニット３０４を床下に設け、床面３０６に設けた吹出口から冷気が吹出るようにしてもよい。
【００３７】
なお、上述した第三実施形態では、コールドアイルＣの上側が整流材３１１Ｕによって全面的に覆われていたが、図１５に示すように、コールドアイルＣの上側のうち特に空調ユニット３０４に近い部分のみを整流材３１１Ｕで覆うようにしてもよい。整流材３１１ＵがコールドアイルＣの上側のうち特に空調ユニット３０４に近い部分のみを覆う構成で
あっても、図１６に示すように、空調ユニット３０４の吹出口から各ラック３０２の吸気面へ流れる冷気の流速が抑えられて、ラック３０２の吸気面側における静圧の低下や乱流の発生が防止され、ラック３０２内への冷気の吸込み不良が生じるのを防ぐことができる。
【００３８】
なお、各実施形態について、整流材はラック列の上端や側端に揃えずに、通路の長手方向や高さ方向に張り出していてもよい。その場合、張り出し部分は通気性の無い板材で構成することもできる。また、上記各実施形態では、コールドアイルＣに出入りするための通用口を設けることについて触れていないが、整流材に通用扉を設けてもよい。この場合、扉についても整流材で構成することが望ましく、扉はラック列の端部に沿って枠を作れば冷気の流れが乱れにくい。また、板を支える支柱や枠材、ドアノブ等についても冷気の流れの均一性を妨げないように配慮して設計することが望ましい。なお、整流材として布あるいはこれに類するものを用いるような場合は、ファスナーによって開閉部分を形成し、これを通用口としてもよい。もっとも、上記各実施形態では、コールドアイルＣを覆う整流材の一部が省かれており、例えば、図１であればコールドアイルＣの右端側が開放されているため、ここを通用口としても差し支えない。
【００３９】
また、上記各実施形態では、ラックを隙間無く並べたラック列がサーバールームに整列していたが、各実施形態は一部のラックが間引かれていてもよい。第一実施形態のラック１０２を一部間引いた変形例を図１７に示す。ラック１０２を間引くにあたっては、将来の増設を見込んで転倒防止金具や搬入据付のためのレール、位置決めの目印などを、例えば列に沿って形成していてもよい。
【００４０】
本変形例では、サーバールーム１０３に配置されたラック列１０９の一部のラック１０２（ここでは、図１７の右側から見て長手方向に延びたラック列１０９の３つ目のラック１０２）が間引かれており、間引かれた部分に空間Ｓが形成されている。空間Ｓの後ろ側（ホットアイルＨ側）には、ホットアイルＨとコールドアイルＣとを隔離する仕切板１１０と同様の目的で、空間ＳからホットアイルＨへの空気の流れを遮蔽する仕切板１１０ｘが設けられている。また、空間Ｓの上側には、整流材１１１Ｕと同様、空調ユニット１０４から吹出る冷気の流れを調整する整流材１１１ｘが設けられている。
【００４１】
ラック１０２を間引いた部分の拡大図を図１８に示す。本変形例では、ラック１０２を間引いた空間Ｓの上側に整流材１１１ｘを設けているため、図１８に示すように、ラック１０２を間引かない場合に比べて冷気の流通路が大きい。よって、気流の高速化を防止して、各ラック１０２に必要な冷気を低速で供給することができる。冷気が低速になると、渦流や低圧域の発生が防止されるので、ホットアイルＨの高温空気がラック１０２内を逆流して情報処理機器が冷却されなくなる虞が無い。このような態様は、二重床構造にした第二実施形態や、二重床構造とし且つ一重天井構造とした第三実施形態についても同様に適用できる。
【００４２】
なお、ラック列１０９は、例えば図１９に示すように、ラック１０２が互いに間隔を空けて整列することにより、空間Ｓが多数設けられていてもよい。空間Ｓがこのように多数設けられていれば、空間Ｓが不規則に設けられた上記変形例に比べて冷気の流通路が更に大きくなり、各ラック１０２に必要な冷気を低速で供給することができる。
【００４３】
なお、ラック１０２を間引いた部分については、図１８に示したように、ラック１０２を間引いた空間Ｓの上側に整流材１１１ｘを設けてもよいが、例えば、図２０に示すように、空間ＳのコールドアイルＣ側に整流材１１１ｘを設けてもよい。この場合でも、整流材１１１ｘを空間Ｓの上側に設けた場合と同様、気流の高速化を防止して、各ラック１０２に必要な冷気を低速で供給することができる。このような態様は、二重床構造にした第
二実施形態や、二重床構造とし且つ一重天井構造とした第三実施形態についても同様に適用できる。
【符号の説明】
【００４４】
１００、２００、３００・・・空調システム
１０２、２０２、３０２・・・ラック
１０３、２０３、３０３・・・サーバールーム
１０４、２０４、３０４・・・空調ユニット
１１０、２１０、３１０・・・仕切板
１１１、２１１、３１１・・・整流材
Ｃ・・コールドアイル
Ｈ・・ホットアイル
【図１】
0005743536.tif 000003
【図２】
0005743536.tif 000004
【図３】
0005743536.tif 000005
【図４】
0005743536.tif 000006
【図５】
0005743536.tif 000007
【図６】
0005743536.tif 000008
【図７】
0005743536.tif 000009
【図８】
0005743536.tif 000010
【図９】
0005743536.tif 000011
【図１０】
0005743536.tif 000012
【図１１】
0005743536.tif 000013
【図１２】
0005743536.tif 000014
【図１３】
0005743536.tif 000015
【図１４】
0005743536.tif 000016
【図１５】
0005743536.tif 000017
【図１６】
0005743536.tif 000018
【図１７】
0005743536.tif 000019
【図１８】
0005743536.tif 000020
【図１９】
0005743536.tif 000021
【図２０】
0005743536.tif 000022